(57)【特許請求の範囲】
【請求項１】
共通の偏向器に各々画像信号に応じた複数の光束を入射させ、前記偏向器の反射面でそれぞれ偏向反射された複数の光束を異なる光路を通って各々異なる被走査面上に結像レンズにより結像させる光走査装置において、
前記偏向器から前記異なる被走査面までの複数の光路の光路長同士は異なっており、
前記光路長の長い光路に配置される結像レンズの焦点距離は、前記光路長の短い光路に配置される結像レンズの焦点距離よりも長く、
前記異なる光路長の光路を通る複数の光束の各々に対して画像信号の同期をとるための画像クロックの周期が、前記被走査面上の主走査方向における光束到達位置が前記異なる光路長の光路を通る複数の光束の間で一致するように異なっていることを特徴とする光走査装置。
【請求項２】
前記結像レンズは、前記偏向器から前記異なる被走査面までの複数の光路の各々に複数配置され、前記複数の結像レンズのうち前記偏向器に光学的に最も近い結像レンズは、前記異なる光路長の光路を通る複数の光束について共通化されていることを特徴とする請求項１に記載の光走査装置。
【請求項３】
請求項１又は２に記載の光走査装置を有することを特徴とする画像形成装置。
【発明の詳細な説明】
【０００１】
【発明の属する技術分野】
本発明は、レーザ光を走査して感光体上に潜像を形成する光走査装置及びそれを用いた画像形成装置、特に、カラー画像の形成に好適な光走査装置及び画像形成装置に関するものである。
【０００２】
【従来の技術】
図１１は従来例の光走査装置の構成を示す平面図である。図１１において、９１はレーザユニット、９２はシリンドリカルレンズ、９３はスキャニングミラー、９４は球面レンズ、９５はトーリックレンズ、９６は感光ドラムである。レーザユニット９１から出射した平行レーザ光はシリンドリカルレンズ９２により副走査方向について集光され、スキャニングミラー９３の面上に照射される。スキャニングミラー９３は一定速度で回転し、スキャニングミラー９３で反射された光束は球面レンズ９４とトーリックレンズ９５を透過する時にＦθが補正され、収束光となって感光ドラム９６上を走査する（以下走査光という）。
【０００３】
感光ドラム９６はレーザユニット９１の半導体レーザ駆動信号に同期して一定速度で回転し、スキャニングミラー９３からの走査光により１ラインの静電潜像が感光ドラム９６上に形成される。以下、スキャニングミラー９３の回転によって感光ドラム９３上に１ラインづつ静電潜像が形成され、その後、この静電潜像を現像、転写、定着する電子写真プロセスにより用紙上に画像が印刷される。ここで、フルカラープリンタや２色カラープリンタ等においては図１１の光走査装置を複数使用して異なる色の画像をそれぞれ感光ドラム上に潜像として形成し、その後、異なった色のトナーを現像、転写、定着し、用紙等に重ねてカラー画像を形成している。
【０００４】
【発明が解決しようとする課題】
しかしながら、上記従来の複数の光走査装置を使用する方法では、光走査装置の数に比例して規模が大きくなるので、構成が複雑化するばかりでなく、コストがかかり、最近の低価格で高品質なプリンタを提供するには問題があった。そこで、この問題点を解決する方法として、光走査装置の中で最も高価なポリゴンとポリゴンモータ部分を異なる色の光ビームに対して共通に用いるという方法が提案されている。
【０００５】
図１２はこの従来のポリゴンを共通に使用した光走査装置の構成を示す図である。図１２において、６１はポリゴン等の偏向器、６２Ｙ、６２Ｍ、６２Ｃ、６２Ｋは第１走査レンズ、６６Ｙ、６６Ｍ、６６Ｃ、６６Ｋ第２走査レンズであり、これらのレンズはＦΘ特性を有している。６３Ｙ、６３Ｍ、６３Ｃ、６３Ｋは第１折り返しミラー、６４Ｙ、６４Ｍ、６４Ｃ、６４Ｋは第２折り返しミラー、６５Ｙ、６５Ｍ、６５Ｃ、６５Ｋは第３折り返しミラーである。また、６７Ｙ、６７Ｍ、６７Ｃ、６７Ｋはそれぞれイエロー用、マゼンタ用、シアン用、ブラック用の感光ドラムである。６８Ｙ、６８Ｍ、６８Ｃ、６８Ｋは各色の光路を示している。
【０００６】
図１２の光走査装置では、光路６８Ｙ、６８Ｍ、６８Ｃ、６８Ｋ中に第１〜第３の折り返しミラーをそれぞれ３枚配置することによって、すべて同じ光路長となっている。この構成により、共通の偏向器により４色の画像を描画するための光束を走査することができる。しかし、この方法では、各色の光走査装置に対して光路長を同一にするためには多くの折り返しミラーを必要とするので、ミラーの増加分が構成の複雑化を招き、コストについてもミラーのコストアップ分がモータのコストダウンを相殺してしまい、大幅なコストダウンは難しいという問題があった。
【０００７】
本発明は、上記従来の問題点に鑑みなされたもので、その目的は、構成が簡単で安価に作製することが可能な光走査装置及びそれを用いた画像形成装置を提供することにある。
【０００８】
【課題を解決するための手段】
上記課題を解決するために、本発明では、共通の偏向器に各々画像信号に応じた複数の光束を入射させ、前記偏向器の反射面でそれぞれ偏向反射された複数の光束を異なる光路を通って各々異なる被走査面上に結像レンズにより結像させる光走査装置において、
前記偏向器から前記異なる被走査面までの複数の光路の光路長同士は異なっており、
前記光路長の長い光路に配置される結像レンズの焦点距離は、前記光路長の短い光路に配置される結像レンズの焦点距離よりも長く、
前記異なる光路長の光路を通る複数の光束の各々に対して画像信号の同期をとるための画像クロックの周期が、前記被走査面上の主走査方向における光束到達位置が前記異なる光路長の光路を通る複数の光束の間で一致するように異なっている構成とした。
【０００９】
また、本発明の目的は、上記光走査装置を有することを特徴とする画像形成装置によって達成される。
【００１０】
【発明の実施の形態】
以下、本発明の実施の形態について図面を参照して詳細に説明する。図１は本発明の光走査装置の第１の実施形態を示す図である。なお、図１は副走査方向から見た側面図である。図１において、１は偏向器、２，３，４，５は第１走査レンズ、６，７，８，９は第２走査レンズ、１０，１１，１２，１３は折り返しミラーである。また、１４はイエロー用、１５はマゼンタ用、１６はシアン用、１７はブラック用の感光ドラムであり、１８，１９，２０，２１はそれぞれイエロー、マゼンタ、シアン、ブラックを描画する光線の光路を示している。偏向器１は上下に反射面を有し、回転軸を中心に回転している。偏向器１の上側の反射面には、マゼンタ用、シアン用光束、下側の反射面にはイエロー用、ブラック用光束が入射する。
【００１１】
ここで、入射系レンズ（図２のコリメータレンズ、シリンドリカルレンズ）により偏向器１に入射したマゼンタ用光束は、偏向器１で偏向反射され、第１走査レンズ２を通って折り返しミラー１０に入射する。この入射光は折り返しミラー１０で折り返され、更に、第２走査レンズ６を通って感光ドラム１５の主走査方向に走査し、マゼンタ用の潜像が形成される。一方、入射系レンズにより偏向器１の下側に入射したイエロー用光束は第１走査レンズ３を通って折り返しミラー１に入射する。この入射光は折り返しミラー１１で折り返され、第２走査レンズ７を通ってイエロー用の感光ドラム１４の主走査方向に走査し、イエロー用の潜像画像が形成される。
【００１２】
また、不図示の入射系レンズから入射したシアン用光束は、偏向器１で偏向反射され、第１走査レンズ４を通って折り返しミラー１２に入射する。この入射光は折り返しミラー１２で折り返され、第２走査レンズ８を通って感光ドラム１６の主走査方向に走査し、シアン用の潜像が形成される。同様に、不図示の入射系レンズから入射したブラック用光束は偏向器１で偏向反射され、第１走査レンズ５を通って折り返しミラー１３に入射する。そして、折り返しミラー１３で折り返され、第２走査レンズ９を通って感光ドラム１７の主走査方向に走査し、ブラック用の潜像が形成される。それぞれの感光ドラム１４〜１７は一定速度で回転していて、偏向器１の回転に伴ない、各感光ドラム上に１ラインづつ各色の潜像が形成される。
【００１３】
図２は画像データを制御する制御回路及びレーザ光源を含む光学系を示す図である。図２において、１００は各色（イエロー、マゼンタ、ブラック、シアン）の画像データを処理するイメージプロセッサ、１０１は副走査同期制御回路、１０２はガンマ補正回路、１０３は画像信号を取り込んで画像クロックに同期させて主走査方向の描画のタイミングを制御するための主走査画像クロック同期制御回路、１０４はＢＤ検知回路、１０５はレーザドライバ回路である。また、１０６は半導体レーザ、１０７はコリメータレンズ、１０８はシリンドリカルレンズである。偏向器１は図１の偏向器と同じである。偏向器１は上側の反射面のみ示している。
【００１４】
ここで、図２では１系統しか示していないが、イメージプロセッサ１００以外は各色に対応して設けられ、全体で４系統の回路及び光学系が設けられている。イメージプロセッサ１００からの各色の画像信号は、それぞれガンマ補正回路１０２を介して主走査画像クロック同期制御回路１０３に供給される。この場合、イエロー用とマゼンタ用の主走査画像クロック同期制御回路１０３では、詳しく後述するようにイエロー用とマゼンタ用で画像クロックの周期を変えることによって、主走査方向における光束到達位置を一致させている。ブラック用、シアン用も同様である。
【００１５】
各レーザドライバ回路１０５はそれぞれ対応する主走査画像クロック同期制御回路１０３からの画像信号に応じて半導体レーザ１０６を駆動する。各半導体レーザ１０６から発したレーザ光束はコリメータレンズ１０７、シリンドリカルレンズ１０８を介して偏向器１の反射面に入射し、各色用の光束はそれぞれ偏向器１の反射面で偏向反射される。
【００１６】
ここで、図１において、第１走査レンズ２〜５と第２走査レンズ６〜９はＦΘレンズであり、主走査方向については偏向器１の反射角に比例した位置に光束が到達させ、且つ、感光ドラム面に光束を集光させている。また、副走査方向については偏向反射面の倒れを補正するのに、入射レンズ（コリメータレンズ１０７とシリンドリカルレンズ１０８）により一旦偏向反射面の近傍に集光させた後、偏向器１による反射光を第１走査レンズ及び第２走査レンズにより感光ドラム面に光束を集光させている（以下ＦΘレンズという）。
【００１７】
この時、イエロー用の光路１８とマゼンタ用の光路１９ではイエロー用の光路１８の方が光路長が長くなっているので、焦点距離はイエロー用のＦΘレンズ３，７の方がマゼンタ用のＦΘレンズ２，６よりも長くなっており、主走査方向の光線到達位置は偏向器１が同じ角度で偏向した光束であっても、イエロー用の光束の方が像高が高い位置に到達する。同様に、シアン用の光路２０とブラック用の光路２１ではブラック用の光路２１の方が光路長が長くなっているので、焦点距離はブラック用のＦΘレンズ５，９の方がシアン用のＦΘレンズ４，８よりも長くなっており、主走査方向の光線到達位置は偏向器１が同じ角度で偏向した光束であっても、ブラック用の光束の方が像高が高い位置に到達する。このように光路長に応じてＦΘレンズの焦点距離を変えることによって各々の光束を感光ドラム面上に結像させている。
【００１８】
図３はこの時の光線到達位置と偏向器１の反射角度の関係を示す図である。なお、図３はイエローとマゼンタ用光束の場合を示している。縦軸は光束到達位置（感光ドラム上における主走査方向の到達位置）、横軸は偏向器１の偏向反射角度（入射光に対する反射角）である。また、２１はマゼンタ用の光束到達位置、２２はイエロー用の光束到達位置である。図３からわかるように同じ偏向反射角度Θ１において光束到達位置はマゼンタ用がＹ１、イエロー用がＹ２となり、イエロー用の方が像高が高い位置に光束が到達する。
【００１９】
この状態で、偏向器１の反射角度がΘ２になった時にマゼンタ用光束の到達位置はＹ２となり、イエロー用光束の到達位置と一致している。即ち、これは、先にも説明したように主走査画像クロック同期制御回路１０３においてマゼンタ用の画像クロックの周期をイエロー用の画像クロックの周期に対しΘ２／Θ１だけ長くすることにより、各像高における光線到達位置をイエローとマゼンタについて同じ位置にしている。
【００２０】
同様に、シアンとブラック用の画像クロックについてもΘ２／Θ１だけシアン用の画像クロックの周期をΘ２／Θ１だけブラック用の画像クロックの周期に対し長くすることにより、光線到達位置をブラックとシアンについて同じ位置にしている。従って、光線到達位置の主走査方向の像高はすべての色について一致するので、各色の画像を重ねる時にずれることなく重ね合わせることができ、良質のフルカラーの画像を得ることが出来る。
【００２１】
ここで、イエロー用の光路長（光路１８）の方がマゼンタ用の光路長（光路１９）よりも長いため、熱膨張による光路長の伸びはイエローの方が長くなる。一方、感光ドラムに入射する光線の主走査断面内の角度は、同じ像高であればマゼンタの方が大きくなり、同じ量の光路長のシフトに対してはマゼンタの方が主走査方向の光線到達位置がずれる。
【００２２】
更に、温度変化に対して半導体レーザは波長がモードホップすることが知られており、この量は通常０．２ｎｍ／℃である。これによる主走査方向の描画位置ずれは、光学系の倍率色収差の量により変化する。また、温度上昇によるレンズの屈折率変化は材料の特性によるものであり、特にプラスチックレンズを使用する場合は変化が大きくなる。レンズの温度上昇による主走査方向の位置ずれはレンズのパワー配置と材質により決まる屈折率変化と、レンズの熱膨張による形状変化によるパワー変化の和になる。
【００２３】
本実施形態においては、走査光学系は光路長の異なるステーションについては異なるレンズを用いるために、前述のようなすべての主走査描画位置ずれ量を完全に補正した上でレンズ結像性能を確保することは難しい。このような主走査方向の描画ずれは、例えば、画像クロックの周期を微妙に変化させ、描画位置を変化させることで調整することが可能である。
【００２４】
以下、描画位置の補正方法について説明する。図４は光走査装置の温度と走査位置ずれの関係を示す図である。横軸は温度、縦軸は走査位置ずれ量である。光走査装置の温度は光走査装置内のどこでも良いが、走査位置ずれを発生させる熱変形の要因となっている部分の温度が望ましい。走査位置ずれは描画位置ずれとなって画像の質を悪化させるため、画像より決められる許容値が存在し、この走査位置ずれの許容値をＳ１とする。
【００２５】
図５は光走査装置の温度と倍率変化の関係を示す図である。倍率変化についても図５に示すように温度依存性を有し、この場合も画像より決められる許容値が存在し、この倍率変化の許容値をＢ１とする。走査位置ずれを補正する場合、例えば、定期的に走査位置ずれと倍率変化を検知し、この値がＳ１、Ｂ１のどちらかの許容値に達した時に描画位置を補正することによって常に良好な画像を得ることが出来る。
【００２６】
また、実際には画像形成のルーチン上のタイミングやコスト的に常に走査位置ずれと倍率変化をモニターすることが難しい場合がある。この場合は、図４、図５に示すように予め設定された温度がＴ１、Ｔ２、Ｔ３、Ｔ４、Ｔ５、…に達した時に走査位置ずれ量及び倍率変化量を検知し、それに応じて描画位置を補正することにより同様の効果が得られ、良好な画像を形成することが出来る。画像の描画位置を補正する場合、走査位置ずれ（主走査方向の書き出し位置ずれ）に対しては電気的な描画タイミングをずらし、倍率変化ずれに対しては光学部品（例えば、折り返しミラー）の位置を調整したり、画像クロックの周期を調整する等の方法がある。
【００２７】
次に、他の描画位置の補正方法について説明する。図６は装置起動後の温度上昇による走査位置ずれ量の変化を示す図である。横軸は画像形成装置の電源を投入した後の時間、縦軸は走査位置ずれ量である。図６に示すように電源投入後は画像形成装置内の定着機、スキャナーモータ等の熱により時間の経過と共に画像形成装置内の温度が上昇し、熱変形やレーザのモードホップ、光学系の屈折率変化等により走査位置や倍率が変化する。この場合は、図６に示すように予め決められたタイミング（時間）ｔ１、ｔ２、ｔ３、ｔ４、ｔ５、…において走査位置ずれ量及び倍率変化量を検知し、それぞれの走査位置ずれ量や倍率変化量に応じて描画位置を補正することにより良好な画像を得ることができる。
【００２８】
図７は連続画像形成枚数と走査位置ずれの関係を示す図である。横軸は連続出力時の枚数、縦軸は走査位置ずれ量である。図７に示すように連続出力時においては定着機、各種モータ等の熱により画像形成装置内の温度が上昇し、走査位置ずれが出力枚数とともに増加する。この時、図７に示すように予め設定された枚数がＭ１、Ｍ２、Ｍ３、Ｍ４、Ｍ５…に達した時に走査位置ずれ量及び倍率変化量を検知し、それぞれの走査位置ずれ量や倍率変化量に応じて描画位置を補正することにより良好な画像を形成することが出来る。画像の描画位置の補正方法は走査位置ずれ、倍率ずれのいずれの場合も先の説明と同様である。なお、これらの描画位置補正方法のうち２つ以上を組み合わせて使用することにより、更に精度の高い補正が可能となる。
【００２９】
図８は本発明の第２の実施形態の構成を示す図である。図８においても副走査方向から見た側面図である。なお、図８では図１と同一部分は同一符号を付している。本実施形態では、第１走査レンズ３２をイエロー用光束とマゼンタ用光束で共通化し、第１走査レンズ３３をブラック用光束とシアン用光束で共通化している。また、偏向器３１は反射面が１つのものを用い、回転軸を中心に回転している。その他の構成は図１と同様である。
【００３０】
ここで、イエロー用光束は入射レンズ（図２のコリメータレンズ１０７とシリンドリカルレンズ１０８）により、偏向器３１の回転軸に垂直な面に対して角度を有して入射（斜め入射）する。このイエロー用光束は偏向器３１により偏向反射され、第１走査レンズ３２に入射する。その後、折り返しミラー１１により反射され、更に走査レンズ７を通って感光ドラム１４上にスポットを形成し、主走査方向に走査する。
【００３１】
また、マゼンタ用光束は入射光レンズにより偏向器３１の回転軸に垂直な面に対して角度を持って入射し、この入射光も偏向器３１により偏向反射され、第１走査レンズ３２に入射する。その後、折り返しミラー１０により反射され、第２走査レンズ６を通って感光ドラム１５上にスポットを形成する。この時、偏向器３１に最も近い第１走査レンズ３２についてはイエロー用マゼンタ用光路の副走査方向の間隔は狭いので、イエロー用、マゼンタ用光束について共通とすることが出来る。その後、斜め入射であるゆえに偏向器３１から離れるに従い、イエロー用光束とマゼンタ用光束は光束の間隔が離れていくために、折り返しミラー１０，１１による分離が可能となる。
【００３２】
この時、イエロー用光束の光路１８とマゼンタ用光束の光路１９の偏向器３１から感光ドラム１４、偏向器３１から感光ドラム１５までの光路長に異なっている。この場合、第１の実施形態と同様に走査レンズの焦点距離はイエロー用の方がマゼンタ用よりも長くなっている。ブラック用光束とシアン用光束の場合も同様である。本実施形態においても、第１の実施形態と同様にイエロー用とマゼンタ用の光線到達位置は画像クロックの周期をイエロー用のクロックとマゼンタ用のクロックで異なる値とすることにより、光束到達位置をイエローとマゼンタで一致させている。また、シアンとブラック用光束についても全く同様に画像クロックの周期を変えることによって光束到達位置を同じ位置とし、すべての色について良好に重ね合わせを行うことができる。
【００３３】
次に、本発明の第３の実施形態について説明する。図９は本発明の第３の実施形態の構成を示す側面図である。なお、図９では図８の第２の実施形態と同一部分は同一符号を付している。本実施形態では、イエローとマゼンタは異なる波長のレーザ光線を使用し、図８の折り返しミラー１０，１２の代わりにダイクロミラー３４，３５を使用している。例えば、イエロー用の光源を７８０ｎｍ、マゼンタ用の光源を６８０ｎｍとして、異なる波長の光束を入射系レンズを介して偏向器３１に入射させる。この時、通常はイエロー光束とマゼンタ光束を分離するために上下方向にシフトさせて入射する等の空間的な分離が必要であるが、以下に述べる方法で光束を分離するために、空間的に光束を分離して入射させる必要は無い。
【００３４】
偏向器３１により偏向反射されたイエロー用光束とマゼンタ用光束は第１走査レンズ３２に入射し、屈折された後ダイクロミラー３４に入射する。ダイクロミラー３４は７８０ｎｍの光は透過し、６８０ｎｍの光は反射するようになっていて、イエロー用光束は透過し、マゼンタ用光束は反射される。更に、イエロー用光束は折り返しミラー１１により反射され、第２走査レンズ７を屈折透過して感光ドラム１４上にスポットを形成し、主走査方向に走査する。マゼンタ用光束は第２走査レンズ６を通って感光ドラム１５上にスポットを形成し、主走査方向に走査する。
【００３５】
同様にシアンとブラック用光束の光源についても、例えば、ブラック用の光源の波長を７８０ｎｍ、シアン用の光源の波長を６８０ｎｍとし、ダイクロミラー３５でブラック用光束は透過し、シアン用光束は反射させている。これによってブラック用光束は折り返しミラー１３、走査レンズ９を介して感光ドラム１７上にスポットを形成し、シアン用光束は走査レンズ８を介して感光ドラム１６上にスポットを形成する。
【００３６】
ここで、本実施形態においても、イエロー用の光路とマゼンタ用の光路の光路長は異なっているので、第２の走査レンズ７，８の焦点距離はイエロー用のレンズの方がマゼンタ用のレンズよりも長くなっている。また、第１、第２の実施形態と同様に画像クロックの周期をイエロー用とマゼンタ用で変えることによって光束到達位置をイエローとマゼンタで一致させている。シアン用光束とブラック用光束についても同様である。なお、図４〜図７で説明した画像の描画位置ずれの補正は第２、第３の実施形態にも用いることができる。
【００３７】
図１０は本発明の画像形成装置の一実施形態の構成を示す斜視図である。図１０において、光走査装置５０は第１〜第３の実施形態のいずれかの光走査装置である。光走査装置５０の下側領域には、所定距離を置いて駆動ローラ５１と従動ローラ５２が配置され、この両ローラ５１，５２間に転写ベルト５３が巻回されている。また、転写ベルト５３の移動方向に沿って感光ドラム１４〜１７が配置されている。感光ドラム１４〜１７は図１のものと同じであり、感光ドラム１４はイエロー用、感光ドラム１５はマゼンタ用、感光ドラム１６はシアン用、感光ドラム１７はブラック用である。
【００３８】
駆動モータ５１はモータ５４により駆動され、転写ベルト５３を回転させる。転写ベルト５３は用紙Ｓを搬送し、感光ドラム１４〜１７上の各色の画像を用紙Ｓ上に転写するためのものである。光走査装置５０は前述のように感光ドラム１４〜１７上に各色の潜像を形成し、各感光ドラム上の潜像はそれぞれ図示しない現像器で現像される。その後、転写ベルト５３により用紙Ｓが搬送され、感光ドラム１４の画像が用紙Ｓに転写される。また、感光ドラム１５，１６，１７の画像が順次用紙Ｓに転写され、最後に図示しない定着器で用紙Ｓ上に画像を定着して機外に排出される。
【００３９】
このようにして各色の画像を用紙Ｓ上に重ね合わせ、フルカラーの画像を形成することができる。また、図１０の画像形成装置では図示していないが、画像の位置ずれ（主走査方向、副走査方向）を検出する検出手段が設けられ、更にこの検出手段の検出結果に基づいて図４〜図７で説明したような補正方法を用いて自動的に画像の描画位置ずれを補正する補正機構を設けられている。
【００４０】
【発明の効果】
以上説明したように本発明によれば、少ない構成部品で被走査面上におけるスポット結像性能を得ることができ、主走査方向におけるドット位置を同一にすることができる。従って、従来と同じ性能を維持しながら構成の簡単化及び低価格化を実現することができる。また、光路長の違いにより温度変化等による熱膨張量の差が主走査描画位置ずれとなり、光路長に応じたレンズを使用することによりレーザホップによる波長変化が主走査位置ずれとなり、更に、温度変化による屈折率変化やレンズ変形等により主走査方向描画位置ずれとなるが、これらは画像クロックの周期等を微調整することによって主走査方向の結像位置を良好に補正することができる。
【図面の簡単な説明】
【図１】本発明の光走査装置の第１の実施形態を示す側面図である。
【図２】画像データを制御する制御回路及びレーザ光源を含む光学系の構成を示す図である。
【図３】図１の実施形態の偏向器反射角度と感光ドラム上の主走査方向の光線到達位置の関係を示す図である。
【図４】光走査装置の温度と走査位置ずれの関係を示す図である。
【図５】光走査装置の温度と倍率変化の関係を示す図である。
【図６】画像形成装置の電源投入後の時間と走査位置ずれの関係を示す図である。
【図７】画像形成装置の連続出力枚数と走査位置ずれの関係を示す図である。
【図８】本発明の光走査装置の第２の実施形態を示す図である。
【図９】本発明の光走査装置の第３の実施形態を示す図である。
【図１０】本発明の画像形成装置の一実施形態の構成を示す図である。
【図１１】従来例の光走査装置の概略構成を示す図である。
【図１２】従来のポリゴンを共通に使用した光走査装置を示す図である。
【符号の説明】
１    偏向器
２〜５    第１走査レンズ
６〜９    第２走査レンズ
１０〜１３    折り返しミラー
１４〜１７    感光ドラム
３１    偏向器
３２，３３    第１走査レンズ
３４，３５    ダイクロミラー
５０    光走査装置
５１    駆動ローラ
５２    従動ローラ
５３    転写ベルト
５４    モータ
１００    イメージプロセッサ
１０１    副走査同期制御回路
１０２    ガンマ補正回路
１０３    主走査画像クロック同期制御回路
１０４    ＢＤ検知回路
１０５    レーザドライバ回路
１０６    半導体レーザ
１０７    コリメータレンズ
１０８    シリンドリカルレンズ
【図１】
0004532695.tif 000002
【図２】
0004532695.tif 000003
【図３】
0004532695.tif 000004
【図４】
0004532695.tif 000005
【図５】
0004532695.tif 000006
【図６】
0004532695.tif 000007
【図７】
0004532695.tif 000008
【図８】
0004532695.tif 000009
【図９】
0004532695.tif 000010
【図１０】
0004532695.tif 000011
【図１１】
0004532695.tif 000012
【図１２】
0004532695.tif 000013